【手続補正書】
【提出日】平成19年2月26日(2007.2.26)
【手続補正１】
【補正対象書類名】特許請求の範囲
【補正対象項目名】全文
【補正方法】変更
【補正の内容】
【特許請求の範囲】
【請求項１】
データを送信するデータ送信装置であって、
変調方式における複数のコンスタレーションバージョンの１つを用いてデータを送信する送信部を具備し、
前記複数のコンスタレーションバージョンの各々は、(i)複数のビットからなるビットシーケンスのビット位置、および(ii)前記ビットの論理値、の少なくとも一方を規定する、
データ送信装置。
【請求項２】
前記複数のコンスタレーションバージョンの各々は、(i)複数のビットからなるビットシーケンスのビット位置、および(ii)前記ビットシーケンスのビットの論理値、の少なくとも一方の点で、互いに異なる、請求項１記載のデータ送信装置。
【請求項３】
前記複数のコンスタレーションバージョンから、１つのコンスタレーションバージョンを選択する選択部をさらに具備し、
前記送信部は、選択された１つのコンスタレーションバージョンを用いてデータを送信する、
請求項１または請求項２記載のデータ送信装置。
【請求項４】
前記複数のコンスタレーションバージョンを記憶するテーブルをさらに具備し、
前記送信部は、前記テーブル内の１つのコンスタレーションバージョンを用いてデータを送信する、
請求項１から請求項３のいずれかに記載のデータ送信装置。
【請求項５】
前記複数のコンスタレーションバージョンのうちの少なくとも１つのコンスタレーションバージョンは、前記ビットシーケンスを再配置することによって生成される、請求項１から請求項４のいずれかに記載のデータ送信装置。
【請求項６】
前記複数のコンスタレーションバージョンのうちの少なくとも１つのコンスタレーションバージョンは、(i)前記ビットシーケンスにおいてビットの位置を入れ替えること、および(ii)前記ビットシーケンスにおけるビットの論理値を反転させること、の少なくとも一方によって生成される、請求項１から請求項５のいずれかに記載のデータ送信装置。
【請求項７】
前記複数のコンスタレーションバージョンのうちの１つのコンスタレーションバージョンは、ビットシーケンス（ｉ１ｑ１ｉ２ｑ２）に対して、(i)ｉ１およびｑ１の位置をｉ２およびｑ２の位置と入れ替え、かつ、ｉ１およびｑ１の論理値を反転させること、(ii)ｉ１およびｑ１の位置をｉ２およびｑ２の位置と入れ替えること、および(iii)ｉ１およびｑ１の論理値を反転させること、のいずれか１つによって生成される、請求項１から請求項６のいずれかに記載のデータ送信装置。
【請求項８】
前記送信部は、前記１つのコンスタレーションバージョンに従って、データを、再配置されたビットシーケンスとして送信する、請求項１から請求項７のいずれかに記載のデータ送信装置。
【請求項９】
前記送信部は、(i)前記複数のコンスタレーションバージョンのうちの１つのコンスタレーションバージョンを用いて第１のデータを送信し、(ii)前記複数のコンスタレーションバージョンのうちの他のコンスタレーションバージョンを用いて第２のデータを送信する、請求項１から請求項８のいずれかに記載のデータ送信装置。
【請求項１０】
前記送信部は、(i)前記複数のコンスタレーションバージョンのうちの１つのコンスタレーションバージョンを用いて、第１のデータをビットシーケンスとして送信し、(ii)前記複数のコンスタレーションバージョンのうちの他のコンスタレーションバージョンを用いて、第２のデータを再配置されたビットシーケンスとして送信する、請求項１から請求項９のいずれかに記載のデータ送信装置。
【請求項１１】
前記変調方式は、１６ＱＡＭ変調方式である、請求項１から請求項１０のいずれかに記載のデータ送信装置。
【請求項１２】
前記送信部は、ハイブリッドＡＲＱプロセスを用いてデータを送信する、請求項１から請求項１１のいずれかに記載のデータ送信装置。
【請求項１３】
前記送信部は、データを送信するのに用いられるコンスタレーションバージョンを示す情報を、受信装置に送信する、請求項１から請求項１２のいずれかに記載のデータ送信装置。
【請求項１４】
前記複数のコンスタレーションバージョンは、あらかじめ決められた順番に従って用いられる、請求項１から請求項１３のいずれかに記載のデータ送信装置。
【請求項１５】
データを送信するデータ送信方法であって、
変調方式における複数のコンスタレーションバージョンの１つを用いてデータを送信するステップを具備し、
前記複数のコンスタレーションバージョンの各々は、(i)複数のビットからなるビットシーケンスのビット位置、および(ii)前記ビットの論理値、の少なくとも一方を規定する、
データ送信方法。
【請求項１６】
前記複数のコンスタレーションバージョンの各々は、(i)複数のビットからなるビットシーケンスのビット位置、および(ii)前記ビットシーケンスのビットの論理値、の少なくとも一方の点で、互いに異なる、請求項１５記載のデータ送信方法。
【請求項１７】
前記複数のコンスタレーションバージョンから、１つのコンスタレーションバージョンを選択するステップをさらに具備し、
選択した１つのコンスタレーションバージョンを用いてデータを送信する、
請求項１５または請求項１６記載のデータ送信方法。
【請求項１８】
前記複数のコンスタレーションバージョンは、テーブルに記憶される、請求項１５から請求項１７のいずれかに記載のデータ送信方法。
【請求項１９】
前記複数のコンスタレーションバージョンのうちの少なくとも１つのコンスタレーションバージョンは、前記ビットシーケンスを再配置することによって生成される、請求項１５から請求項１８のいずれかに記載のデータ送信方法。
【請求項２０】
前記複数のコンスタレーションバージョンのうちの少なくとも１つのコンスタレーションバージョンは、(i)前記ビットシーケンスにおいてビットの位置を入れ替えること、および(ii)前記ビットシーケンスにおけるビットの論理値を反転させること、の少なくとも一方によって生成される、請求項１５から請求項１９のいずれかに記載のデータ送信方法。
【請求項２１】
前記複数のコンスタレーションバージョンのうちの１つのコンスタレーションバージョンは、ビットシーケンス（ｉ１ｑ１ｉ２ｑ２）に対して、(i)ｉ１およびｑ１の位置をｉ２およびｑ２の位置と入れ替え、かつ、ｉ１およびｑ１の論理値を反転させること、(ii)ｉ１およびｑ１の位置をｉ２およびｑ２の位置と入れ替えること、および(iii)ｉ１およびｑ１の論理値を反転させること、のいずれか１つによって生成される、請求項１５から請求項２０のいずれかに記載のデータ送信方法。
【請求項２２】
前記１つのコンスタレーションバージョンに従って、データを、再配置されたビットシーケンスとして送信する、請求項１５から請求項２１のいずれかに記載のデータ送信方法。
【請求項２３】
前記複数のコンスタレーションバージョンのうちの１つのコンスタレーションバージョンを用いて第１のデータを送信し、さらに、前記複数のコンスタレーションバージョンのうちの他のコンスタレーションバージョンを用いて第２のデータを送信する、請求項１５から請求項２２のいずれかに記載のデータ送信方法。
【請求項２４】
前記複数のコンスタレーションバージョンのうちの１つのコンスタレーションバージョンを用いて、第１のデータをビットシーケンスとして送信し、さらに、前記複数のコンスタレーションバージョンのうちの他のコンスタレーションバージョンを用いて、第２のデータを再配置されたビットシーケンスとして送信する、請求項１５から請求項２３のいずれかに記載のデータ送信方法。
【請求項２５】
前記変調方式は、１６ＱＡＭ変調方式である、請求項１５から請求項２４のいずれかに記載のデータ送信方法。
【請求項２６】
ハイブリッドＡＲＱプロセスを用いてデータを送信する、請求項１５から請求項２５のいずれかに記載のデータ送信方法。
【請求項２７】
データを送信するのに用いるコンスタレーションバージョンを示す情報を、受信装置に送信する、請求項１５から請求項２６のいずれかに記載のデータ送信方法。
【請求項２８】
前記複数のコンスタレーションバージョンは、あらかじめ決められた順番に従って用いられる、請求項１５から請求項２７のいずれかに記載のデータ送信方法。
【請求項２９】
請求項１から請求項１４のいずれかに記載のデータ送信装置と、
前記データ送信装置によって送信されたデータを受信する受信部を具備するデータ受信装置と、
を有する通信システム。
【請求項３０】
データを受信するデータ受信装置であって、
変調方式における複数のコンスタレーションバージョンの１つを用いて送信されたデータを受信する受信部を具備し、
前記複数のコンスタレーションバージョンの各々は、(i)複数のビットからなるビットシーケンスのビット位置、および(ii)前記ビットの論理値、の少なくとも一方を規定する、
データ受信装置。
【請求項３１】
前記複数のコンスタレーションバージョンの各々は、(i)複数のビットからなるビットシーケンスのビット位置、および(ii)前記ビットシーケンスのビットの論理値、の少なくとも一方の点で、互いに異なる、請求項３０記載のデータ受信装置。
【請求項３２】
受信されたデータを前記１つのコンスタレーションバージョンを用いて復調する復調部、
をさらに具備する請求項３０または請求項３１記載のデータ受信装置。
【請求項３３】
前記複数のコンスタレーションバージョンのうちの少なくとも１つのコンスタレーションバージョンは、前記ビットシーケンスを再配置することによって生成される、請求項３０から請求項３２のいずれかに記載のデータ受信装置。
【請求項３４】
前記複数のコンスタレーションバージョンのうちの少なくとも１つのコンスタレーションバージョンは、(i)前記ビットシーケンスにおいてビットの位置を入れ替えること、および(ii)前記ビットシーケンスにおけるビットの論理値を反転させること、の少なくとも一方によって生成される、請求項３０から請求項３３のいずれかに記載のデータ受信装置。
【請求項３５】
前記複数のコンスタレーションバージョンのうちの１つのコンスタレーションバージョンは、ビットシーケンス（ｉ１ｑ１ｉ２ｑ２）に対して、(i)ｉ１およびｑ１の位置をｉ２およびｑ２の位置と入れ替え、かつ、ｉ１およびｑ１の論理値を反転させること、(ii)ｉ１およびｑ１の位置をｉ２およびｑ２の位置と入れ替えること、および(iii)ｉ１およびｑ１の論理値を反転させること、のいずれか１つによって生成される、請求項３０から請求項３４のいずれかに記載のデータ受信装置。
【請求項３６】
前記受信部は、前記１つのコンスタレーションバージョンに従って、再配置されたビットシーケンスとして送信されたデータを受信する、請求項３０から請求項３５のいずれかに記載のデータ受信装置。
【請求項３７】
前記受信部は、(i)前記複数のコンスタレーションバージョンのうちの１つのコンスタレーションバージョンを用いて送信された第１のデータを受信し、(ii)前記複数のコンスタレーションバージョンのうちの他のコンスタレーションバージョンを用いて送信された第２のデータを受信する、請求項３０から請求項３６のいずれかに記載のデータ受信装置。
【請求項３８】
前記受信部は、(i)前記複数のコンスタレーションバージョンのうちの１つのコンスタレーションバージョンを用いて、ビットシーケンスとして送信された第１のデータを受信し、(ii)前記複数のコンスタレーションバージョンのうちの他のコンスタレーションバージョンを用いて、再配置されたビットシーケンスとして送信された第２のデータを受信する、請求項３０から請求項３７のいずれかに記載のデータ受信装置。
【請求項３９】
前記第１のデータと前記第２のデータを合成する合成部、
をさらに具備する請求項３７または請求項３８記載のデータ受信装置。
【請求項４０】
前記変調方式は、１６ＱＡＭ変調方式である、請求項３０から請求項３９のいずれかに記載のデータ受信装置。
【請求項４１】
前記受信部は、ハイブリッドＡＲＱプロセスを用いてデータを受信する、請求項３０から請求項４０のいずれかに記載のデータ受信装置。
【請求項４２】
前記受信部は、データを送信するのに用いられるコンスタレーションバージョンを示す情報を受信する、請求項３０から請求項４１のいずれかに記載のデータ受信装置。
【請求項４３】
前記複数のコンスタレーションバージョンは、あらかじめ決められた順番に従って用いられる、請求項３０から請求項４２のいずれかに記載のデータ受信装置。
【請求項４４】
データを受信するデータ受信方法であって、
変調方式における複数のコンスタレーションバージョンの１つを用いて送信されたデータを受信するステップを具備し、
前記複数のコンスタレーションバージョンの各々は、(i)複数のビットからなるビットシーケンスのビット位置、および(ii)前記ビットの論理値、の少なくとも一方を規定する、
データ受信方法。
【請求項４５】
前記複数のコンスタレーションバージョンの各々は、(i)複数のビットからなるビットシーケンスのビット位置、および(ii)前記ビットシーケンスのビットの論理値、の少なくとも一方の点で、互いに異なる、請求項４４記載のデータ受信方法。
【請求項４６】
受信されたデータを前記１つのコンスタレーションバージョンを用いて復調するステップ、
をさらに具備する請求項４４または請求項４５記載のデータ受信方法。
【請求項４７】
前記複数のコンスタレーションバージョンのうちの少なくとも１つのコンスタレーションバージョンは、前記ビットシーケンスを再配置することによって生成される、請求項４４から請求項４６のいずれかに記載のデータ受信方法。
【請求項４８】
前記複数のコンスタレーションバージョンのうちの少なくとも１つのコンスタレーションバージョンは、(i)前記ビットシーケンスにおいてビットの位置を入れ替えること、および(ii)前記ビットシーケンスにおけるビットの論理値を反転させること、の少なくとも一方によって生成される、請求項４４から請求項４７のいずれかに記載のデータ受信方法。
【請求項４９】
前記複数のコンスタレーションバージョンのうちの１つのコンスタレーションバージョンは、ビットシーケンス（ｉ１ｑ１ｉ２ｑ２）に対して、(i)ｉ１およびｑ１の位置をｉ２およびｑ２の位置と入れ替え、かつ、ｉ１およびｑ１の論理値を反転させること、(ii)ｉ１およびｑ１の位置をｉ２およびｑ２の位置と入れ替えること、および(iii)ｉ１およびｑ１の論理値を反転させること、のいずれか１つによって生成される、請求項４４から請求項４８のいずれかに記載のデータ受信方法。
【請求項５０】
前記１つのコンスタレーションバージョンに従って、再配置されたビットシーケンスとして送信されたデータを受信する、請求項４４から請求項４９のいずれかに記載のデータ受信方法。
【請求項５１】
前記複数のコンスタレーションバージョンのうちの１つのコンスタレーションバージョンを用いて送信された第１のデータを受信し、さらに、前記複数のコンスタレーションバージョンのうちの他のコンスタレーションバージョンを用いて送信された第２のデータを受信する、請求項４４から請求項５０のいずれかに記載のデータ受信方法。
【請求項５２】
前記複数のコンスタレーションバージョンのうちの１つのコンスタレーションバージョンを用いて、ビットシーケンスとして送信された第１のデータを受信し、さらに、前記複数のコンスタレーションバージョンのうちの他のコンスタレーションバージョンを用いて、再配置されたビットシーケンスとして送信された第２のデータを受信する、請求項４４から請求項５１のいずれかに記載のデータ受信方法。
【請求項５３】
前記第１のデータと前記第２のデータを合成するステップ、
をさらに具備する請求項５１または請求項５２記載のデータ受信方法。
【請求項５４】
前記変調方式は、１６ＱＡＭ変調方式である、請求項４４から請求項５３のいずれかに記載のデータ受信方法。
【請求項５５】
ハイブリッドＡＲＱプロセスを用いてデータを受信する、請求項４４から請求項５４のいずれかに記載のデータ受信方法。
【請求項５６】
データを送信するのに用いられるコンスタレーションバージョンを示す情報を受信する、請求項４４から請求項５５のいずれかに記載のデータ受信方法。
【請求項５７】
前記複数のコンスタレーションバージョンは、あらかじめ決められた順番に従って用いられる、請求項４４から請求項５６のいずれかに記載のデータ受信方法。
【手続補正２】
【補正対象書類名】明細書
【補正対象項目名】００１９
【補正方法】変更
【補正の内容】
【００１９】
本発明のデータ送信装置は、データを送信するデータ送信装置であって、変調方式における複数のコンスタレーションバージョンの１つを用いてデータを送信する送信部を具備し、前記複数のコンスタレーションバージョンの各々は、(i)複数のビットからなるビットシーケンスのビット位置、および(ii)前記ビットの論理値、の少なくとも一方を規定する、構成を採る。